(57)【特許請求の範囲】
【請求項１】
被験者の動脈に重なるエリアでの限られた数の血圧サイクル中に血圧を測定するためのシステムであって、
圧力信号に応じて前記動脈を閉塞するために該動脈に圧力を加えるための手段であり、圧力放出信号に応じて前記動脈を再度開くために前記圧力を後に放出するための手段；
制御手段であり：
血圧サイクルにおける収縮期が開始する時間である基準点時間を決定するための手段であり、該基準点時間に対応する基準時間信号を提供するための手段、
血圧サイクル中に最大圧力が生じる第一ポイント時間を検出するための手段であり、該第一ポイント時間に対応する第一時間信号を提供するための手段、
前記基準点時間から前記第一ポイント時間までの第一時間持続期間を前記基準時間信号及び前記第一時間信号から計算するための手段、
前記圧力の放出後に前記動脈が開く第二ポイント時間を検出するための手段であり、前記第二ポイント時間に対応する第二時間信号を提供するための手段、
前記第二ポイント時間にて、前記動脈に圧力を加えるための手段における圧力を決定するための手段、並びに
前記基準点時間から前記第二ポイント時間までの第二時間持続期間を前記基準時間信号及び前記第二時間信号から計算するための手段、
を含む制御手段；さらに
前記基準点時間からの遅延時間を計算するための手段であり、前記第一時間持続期間を前記第二時間持続期間と比較し、一致したときには前記第二ポイント時間での前記圧力を加えるための手段における圧力を収縮期血圧とし、一致しないときには、前記第一時間持続期間及び前記第二時間持続期間から遅延時間を計算し、該遅延時間に対応する圧力放出信号を前記制御手段に供給する手段；
を含むシステム。
【請求項２】
前記基準点時間を決定するための手段は、前記動脈に圧力を加えるための手段における圧力パルスが所定の閾値を上回るポイント時間を作動中に検出するためのセンサを含むことを特徴とする、請求項１に記載のシステム。
【請求項３】
請求項１に記載のシステムであって、
前記基準点時間からのさらなる遅延時間を決定するためであり、前記さらなる遅延時間を決定した後に、心拡張期血圧を測定するための次の測定ステップにおいてさらなる圧力放出信号が前記圧力を加えるための手段に供給されるように決定するため、及び、前記さらなる遅延時間に対応するさらなる圧力放出信号を供給するため、にさらに設計された前記遅延時間を計算するための手段と、
前記基準点時間から一つの圧力サイクルの終点に対応するエンドポイント時間までの心拍持続期間を、前記被験者の少なくとも二つの脈拍のタイミングから決定するための手段と、
前記さらなる圧力放出信号に応じた前記圧力の放出後に前記動脈が開くさらなるポイント時間を検出するための手段であり、前記さらなるポイント時間に対応する第三時間信号を提供するための手段と、
前記基準点時間から前記さらなるポイント時間までの第三時間持続期間を前記基準時間信号及び前記第三時間信号から計算するための手段と、
前記心拍持続期間と前記第三時間持続期間とを比較することによって、前記さらなる遅延時間に対する次の値をさらに決定するためであり、前記さらなる遅延時間に対する次の値を決定した後に、前記次の測定段階において次の圧力放出信号が前記圧力を加えるための手段に供給されるよう決定するため、及び、前記さらなる遅延時間に対する次の値に対応する前記さらなる圧力放出信号に対する次の値を、前記圧力を加えるための手段に後に供給するための、前記遅延時間を計算するための手段と、
を含むことを特徴とするシステム。
【請求項４】
前記第一ポイント時間を検出するための手段が、作動中に前記動脈に圧力を加えるための手段における圧力を測定するための圧力センサ、及び、該圧力センサによって提供された信号から前記第一ポイント時間を決定するためのプロセッサを含むことを特徴とする、請求項１に記載のシステム。
【請求項５】
前記第二ポイント時間を検出するための手段が、前記動脈内の血液の存在を検出するための電子光センサ、及び、該電子光センサによって提供された信号から前記第二ポイント時間を決定するためのさらなるプロセッサを含むことを特徴とする、請求項１に記載のシステム。
【請求項６】
前記遅延時間を計算するための手段が、圧力−時間プロファイルも決定し、且つ、該圧力−時間プロファイルに対応する圧力放出信号を前記圧力を加えるための手段に供給する、請求項１に記載のシステムであって、該圧力−時間プロファイルに従って前記圧力が放出されることを特徴とする、システム。
【発明の詳細な説明】
【０００１】
本発明は、生物の動脈に重なるエリアでの限られた数の血圧サイクル中に血圧を測定するためのシステムに関する。
【０００２】
序章にて定義されたこの種類のシステムは、米国特許出願番号４６６０５６６にて公知である。
【０００３】
既知のシステムは、膨張式クッションに提供されたセンサを含む測定ユニット及び処理ユニットからなる。クッションは、使用者の腕に着用される柔軟な物質の腕輪からなるキャリアに提供される。かかる既知のシステムにおいて、圧力パルスは、動脈に対する妨害及び連続的な妨害しない状態若しくは動脈に対する妨害しない及び連続的な妨害状態を被験者の橈骨動脈に重なる局所的個別の外部ポイントへのクッションの手段によって適用される。センサがそれぞれの妨害しない若しくは妨害状態を検出する場合、クッション内圧力の瞬時値は、被験者の血圧の処理ユニット値を通して提供される目的のために測定される。既知のシステムの欠点は、システムによって与えられた収縮期及び心拡張期血圧の測定結果が、被験者圧力ラインに沿った測定は正確に確認することができず、収縮期における少なくとも一つの測定及び血圧サイクルの心拡張期の最低測定が存在するか知られていないために正確でないことである。この理由により、収縮期及び心拡張期血圧が起こるポイント時間で実行される測定が、高い統計的確立を有するために長い測定時間が必要とされる。
【０００４】
本発明の目的は、収縮期及び心拡張期血圧のより正確で迅速な測定を供給するために改良された血圧測定システムを提供することである。
【０００５】
かかる目的を達成するために、本発明によるシステムは
−圧力信号に対応して動脈を閉塞するために動脈に加圧するため、及び圧力放出信号に対応して再度開いた動脈に圧力を引き続き放出するための手段；
−基準点時間（ｒｅｆｅｒｅｎｃｅ  ｐｏｉｎｔ  ｔｉｍｅ）を決定するため、及び基準点時間に対応して基準時間信号（ｒｅｆｅｒｅｎｃｅ  ｔｉｍｅ  ｓｉｇｎａｌ）を提供するための手段；
−血圧サイクル中に最高圧力が起こる第一ポイント時間を検出するため、及び第一ポイント時間に対応して第一時間信号を提供するための手段；
−基準点時間から第一ポイント時間への第一時間持続期間を基準時間信号及び第一時間信号から計算するための手段；
−圧力の放出後動脈の開きが起こる第二ポイント時間を検出するため、及び第二ポイント時間と対応して第二時間信号を提供するための手段；
−第二ポイント時間での動脈に加圧する手段内の圧力を決定するための手段；  −基準点から第二ポイント時間への第二時間持続期間を基準時間信号及び第二時間信号から計算するための手段；
−次ぎの圧力放出信号が加圧するための手段に供給されるべき後の基準点時間からの遅延時間を第一時間持続期間と第二時間持続期間を比較することにより、及び次ぎの測定サイクルで動脈に供給される圧力を計算するために、並びに引き続く圧力信号及び加圧するための手段に対する計算された圧力及び遅延時間に対応する圧力放出信号を供給するために計算するための手段；
からなることを特徴とされる。
【０００６】
血圧測定は、圧力により動脈が閉塞されるまで動脈に圧力を適用することによって開始される。その後、クッションでの圧力が動脈が再度開かれるまで引き続き放出されるポイント時間から、基準点時間が決定される。かかる圧力の放出中、最高圧力が起こるポイント時間が検出され、動脈の開きが起きるポイント時間が検出され、それぞれのポイント時間に対応する第一及び第二時間信号が提供される。動脈内での血圧を示唆する加圧手段内の圧力が動脈が開いている時間である第二ポイント時間にて決定される。次いで、基準点時間から最高圧力が起こるポイント時間への第一時間持続期間が、基準点時間から動脈の開きが起こるポイント時間への第二時間持続期間と比較される。この比較から遅延時間が計算される。この遅延時間は、次ぎの圧力放出信号が加圧するための手段に供給された後の基準点時間からの遅延時間である。さらに、次ぎの測定サイクルで動脈に適用される圧力は、上記比較に依存して計算される。次いで、上記の計算された遅延時間及び圧力に対応する信号が、動脈へ加圧するための手段に提供される。加圧する手段における遅延時間及び圧力は、限られたサイクル数の測定を繰り返すことによって精錬される。このように、第一時間持続期間と第二時間持続期間との比較は、所定の耐性時間間隔（ｔｏｌｅｒａｎｃｅ  ｔｉｍｅ  ｉｎｔｅｒｖａｌ）内で最高圧力が起こるポイント時間と動脈の開きが一致するポイント時間まで繰り返される。この瞬間において加圧手段内で決定された圧力は、被験者の収縮期血圧の正確な示唆を与える。このようにして、収縮期血圧は正確さ及び迅速性を伴って得られる。
【０００７】
本発明と一致するシステムの実施態様は、基準点時間が血圧サイクルが起こる収縮期の開始におけるポイント時間であることが特徴とされる。測定は、動脈内の血圧の上昇の開始と対応するポイント時間で開始し、このように、測定された圧力は収縮期血圧である最高圧力の近辺であると知られている。収縮期血圧を決定するために単に限られた回数の測定が必要であるため、収縮期血圧が測定される速度の増加において有利である。
【０００８】
本発明と一致するシステムの実施態様は、動脈へ加圧する手段内の圧力パルスが所定の閾値を上回るポイント時間の作動中に検出するためのセンサからなる収縮期の開始を検出するための手段を特徴とする。このように、収縮期の開始は容易に決定される。
【０００９】
本発明と一致するシステムの実施態様は、基準点時間からのさらなる遅延時間を決定するためであって、前記さらなる遅延時間が決定された後に、心拡張期血圧を測定するための次の測定段階において、加圧する手段にさらなる圧力放出信号が供給されるように決定するため、及び、さらなる遅延時間に対応するさらなる圧力放出信号を供給するため、にさらに設計された前記計算するための手段、基準点時間から一つの圧力サイクルの終点に対応するエンドポイント時間までの心拍持続期間を被験者の少なくとも二つの脈拍のタイミングから決定するための手段、さらなる圧力放出信号に応じた圧力放出後に動脈が開くさらなるポイント時間を検出するため、及び、さらなるポイント時間に対応する第三時間信号を提供するための手段、基準点時間からさらなるポイント時間までの第三時間持続期間を基準時間信号及びさらなる時間信号から計算するための手段、さらなる遅延時間における次の値を心拍持続期間と第三時間持続期間とを比較することによってさらに決定するためであって、さらなる遅延時間における次の値を決定した後に、次の測定段階において加圧する手段に次の圧力放出信号が供給されるように決定するため、及び、さらなる遅延時間における次の値に対応するさらなる圧力放出信号に対する次の値を、加圧する手段へ後に供給するため、の前記計算するための手段を含むことを特徴とされる。
【００１０】
心拡張期血圧を決定するために、基準点時間からのさらなる遅延時間が次の測定段階で決定され、さらなる遅延時間が決定された後、加圧する手段にさらなる圧力放出信号が供給される。さらなる遅延時間に対応するさらなる圧力放出信号が加圧する手段に供給され、クッション内の圧力は動脈が再度開くまで引き続き放出される。上記の圧力の放出中、動脈が開くポイント時間が検出され、該ポイント時間に対応する第三時間信号が提供される。上記の次には、基準点時間から一つの圧力サイクルの終点に対応するエンドポイント時間までの心拍持続期間が、少なくとも二つの脈拍のタイミングから決定される。上記の心拍持続期間と第三時間持続期間は比較される。上記の比較はさらなる遅延時間における次の値を供給する。次いで、さらなる遅延時間における上記の計算された次の値に対応する信号は、動脈に圧力を加えるための加圧する手段に供給される。加圧する手段に対するさらなる遅延時間における続く次の値は、限られたサイクル数の上記測定の繰り返しによって精錬される。このように、心拍持続期間と第三時間持続期間の比較は、最低圧力が起こるポイント時間である、動脈が開くポイント時間が血圧サイクル終点のポイント時間と所定の耐性時間間隔内で一致するポイント時間まで繰り返される。この瞬間に加圧する手段において決められた圧力は被験者の心拡張期血圧の正確な示唆を与える。このようにして、心拡張期血圧は正確さと迅速性を伴って得られる。
【００１１】
本発明と一致するシステムの実施態様は、作動中に動脈に加圧するための手段での圧力を測定するための圧力センサ及び圧力センサによって供給された信号からの第一ポイント時間を決定するためのプロセッサからなる第一ポイント時間を検出するための手段を特徴とする。圧力センサは動脈に加圧するための手段での圧力を測定し、上記に対応してプロセッサに信号を提供する。次いで、プロセッサは、上記信号からの第一時間を決定する。このようにして、第一ポイント時間は容易い方法で決定される。
【００１２】
本発明と一致したシステムの実施態様は、動脈内の血液の存在を検出するための電子光センサ及び電子光センサによって提供された信号からの第二ポイント時間を決定するためのさらなるプロセッサからなる第二ポイント時間を検出するための手段を特徴とされる。電子光センサは、動脈の近くに位置し、センサによって照射された光の吸収を確認することにより動脈内の血液の存在を検出する。動脈が開いた場合、血液は光を吸収する動脈内に入り込む。電子光センサは、光の吸収の違いを検出し、上記に対応してプロセッサに信号を提供する。次いで、プロセッサは信号からの第二ポイント時間を決定する。
【００１３】
本発明と一致するシステムの実施態様は、計算するための手段はまた、圧力が放出されることにより圧力−時間プロファイルを決定し、上記プロファイルに対応する圧力放出信号を計算し供給する手段を特徴とされる。加圧する手段で放出する圧力の圧力−時間プロファイルは、正確な測定を達成するために限られた数の測定サイクルを伴う手法で調節される。このように、少数の測定サイクルが必要とされ、より速い測定が達成される。
【００１４】
本発明は、図と関連して下記により詳細に記述されるであろう。
【００１５】
図１は、生物の動脈３に重なるエリア２での限られた数の血圧サイクル中に血圧を測定するためのシステム１を示している。システム１は、圧力信号アップライズ（Ｕｐｒｉｓｅ）に応じて動脈３を塞ぐために動脈３に圧力Ｐを加えるため及び圧力放出信号アップリリース（Ｕｐｒｅｌｅａｓｅ）に応じて動脈３を開く圧力を連続して放つための手段４からなる。例えば、圧力を加えるための手段４は、膨張し空気を抜くことができるエアーバックからなるが、代替型の加圧手段もまた可能である。システム１はまた、時間での基準点を決定し、時間での基準点に対応する基準時間信号Ｕｒｅｆを提供するための手段５からなる。システム１はさらに、血圧サイクル中での最高圧力が発生した時間での第一ポイントを決定し、第一ポイントに対応する第一時間信号Ｕｍａｘを提供するための手段６からなる。システム１はさらに、基準時間信号Ｕｒｅｆ及び第一時間信号Ｕｍａｘから、基準点の時間から第一ポイントの時間への第一時間持続期間ΔＴ１を計算するための手段７からなる。システム１はさらに、圧力の放出後動脈３の開きが発生する時間における第二ポイントを決定し、第二ポイントの時間と対応して第二時間信号Ｕｏｐｅｎ１を提供するための手段８及び第二ポイント時間で動脈３への加圧のための手段において圧力を決定するための手段９からなる。かかるシステムはさらに、基準時間信号Ｕｒｅｆ及び第二時間信号Ｕｏｐｅｎ１から、基準点の時間から第二ポイントの時間への第二時間持続期間ΔＴ２を計算するための手段１０からなる。かかるシステムはさらに、第一時間持続期間ΔＴ１を第二時間持続期間ΔＴ２と比較することによって、加圧するための手段４に適用するために供給される次ぎの圧力放出信号後の基準点の時間からの遅延時間Ｔｄｅｌａｙ１を計算するため、及び次ぎの測定サイクルにおいて動脈３に適用される圧力Ｐ２を計算するため、及び計算された圧力Ｐ２と遅延時間Ｔｄｅｌａｙ１に対応する圧力信号アップライズ及び圧力放出信号アップリリースを加圧するための手段４に引き続き供給するための手段１１からなる。計算するための手段１１は、次ぎの測定段階での加圧のための手段４に次の圧力放出信号３を供給された後のさらなる遅延時間Ｔｄｅｌａｙ２における次の値を心拍持続期間ΔＴｈｒと第三時間持続期間ΔＴ３を比較し、及びさらなる遅延時間Ｔｄｅｌａｙ２における次ぎの値に対応するさらなる圧力放出信号アップリリース２における引き続く次ぎの値を加圧するための手段４に供給するためにさらに決定する。プロファイルに対応する圧力放出信号アップリリースを供給して計算するための手段１１である、計算するための手段１１はまた、圧力が放出されたことにより、圧力−時間プロファイルを決定する。
【００１６】
図２ａは、図１のシステムからなる装置を示している。システム１´は、ここでは膨張可能で縮小できるエアバッグによって成形された加圧手段４´が提供されたバンド２０からなるリスト血圧モニタ２１に組み入れられる。この実施態様において、基準点の時間を決定し、基準点の時間に対応する基準時間信号Ｕｒｅｆを提供するための手段５は、血圧サイクルにおいて収縮期の開始を検出するための手段５´からなる。かかる手段５´は、動脈へ加圧するための手段４´内の圧力パルス１４が所定の閾値１５を上回る作動期間を検出するためのセンサ２５からなる。これは、図３ａにてさらに示されている。この実施態様において、さらに、第一ポイント時間を検出するための手段６´は、圧力センサ２６により提供された信号からの第一ポイント時間を検出するためのプロセッサ３６と同様に、作動中に動脈３に加圧するための手段４´内の圧力を測定するための圧力センサ２６からなる。
【００１７】
この実施態様において、さらに、第二ポイント時間を検出するための手段８´は、動脈内の血液の存在を検出するための電子光センサ２８及び電子光センサ２８により提供された信号からの第二ポイント時間を決定するためのさらなるプロセッサ３８からなる。この実施態様の電子光センサ２８は、例えば、光照射ダイオードのような光供給源５８を伴う電子光検出器４８の形態からなる。作動中、光供給源５８は、動脈に重なるエリアに光を照射する。動脈が加圧手段４´によって第一に接近した場合、動脈に重なるエリアは光供給源５８からの光の特定量を反射する。加圧手段４´内の圧力が圧力放出信号に対応して放出された場合、動脈は再度開き、血液が動脈に再び入る。動脈内に存在する血液が光の特定量を吸収するため、エリアによる光の反射における変化が起こる。電子光検出器４８は、上記の変化を検出し、電子光検出器４８によって信号をプロセッサ３８信号へ提供する。次いで、プロセッサ３８は、動脈の開きが起こるポイント時間である第二ポイント時間を決定する。
【００１８】
図３ａは、第一測定サイクルでの図１のシステムを伴った収縮期血圧の測定のグラフを示す。グラフにおいて、加圧手段４内の圧力であるところの時間ｔと圧力Ｐがお互いに図示された。血圧波１３がまた、グラフに示されている。図３ａにおいて見られるように、加圧手段４´内の圧力Ｐは、加圧手段４´により閉塞された動脈でのポイント時間での第一レベルにおいて上昇している。加圧手段４´内の圧力Ｐは、特定のポイント時間にて再度開かれた動脈に引き続き放出される。加圧手段内の圧力は、グラフのＰと血圧波１３の交点にて見られるように、かかる放出中の特定ポイント時間での動脈内の圧力に等しいであろう。このポイントにおいて、動脈内の血圧Ｘが決定される。しかしながら、グラフに見られるように、この測定での動脈内の決められた圧力Ｘは、収縮期血圧Ｓを表さず、収縮期血圧Ｓが起こる以前に測定が行なわれるため、収縮期血圧Ｓの血圧よりも低い。したがって、次ぎの測定サイクルにおいて、加圧手段４´内の圧力Ｐは、加圧手段４´により閉塞された動脈でのレベルまで上昇される。さらなるポイント時間ｂにおいて、手段５´により基準点時間が決定され、基準時間信号Ｕｒｅｆは、基準点時間に対応して提供される。この実施態様の基準点時間は、血圧サイクルでの収縮期の開始が起こる時間でのポイントである。この収縮期の開始は、加圧手段４´内の圧力パルス１４が所定の閾値１５を上回る時間でのポイントを検出するセンサ２５によって検出される。かかるポイント時間は、収縮期の開始を示唆している。ポイント時間ｂから、加圧手段４´内の圧力Ｐは、再び開かれた動脈に引き続き放出される。圧力センサ２６は、かかる放出中での加圧手段４´内の圧力を測定し、プロセッサ３６は、圧力センサ２６により提供された信号から最高圧力が起こる第一ポイント時間ｃを決定する。第一時間信号Ｕｍａｘは、上記ポイント時間に対応して提供される。基準点時間ｂから第一ポイント時間ｃへの第一時間持続期間ΔＴ１は、基準信号Ｕｒｅｆ及び第一時間信号Ｕｍａｘから計算される。これに続いて、動脈が開いている場合、手段８´の電子光センサ２８が動脈３内の血液の存在を検出し、及びさらにプロセッサ３８が電子光センサ２８により提供される信号から開いた動脈３が起こる第二ポイント時間を決定する。ポイント時間ｄに対応して、第二時間信号Ｕｏｐｅｎ１が提供される。基準点時間ｂから第二ポイント時間ｄへの第二時間持続期間ΔＴ２は、基準時間信号Ｕｒｅｆ及び第二時間信号Ｕｏｐｅｎ１から計算される。
【００１９】
第一時間持続期間ΔＴ１及び第二時間持続期間ΔＴ２の比較は、次ぎの圧力放出信号が加圧のための手段４´に提供され、次ぎの測定サイクルにて動脈に圧力Ｐ２が適用された後の基準点時間ｂからの遅延時間Ｔｄｅｌａｙ１を計算するために提供する。圧力信号アップライズ及び圧力放出信号アップリリースは、計算された圧力Ｐ２及び遅延時間Ｔｄｅｌａｙ１に対応して加圧手段４´へと引き続き供給される。加圧手段４´における遅延時間Ｔｄｅｌａｙ１及び圧力Ｐは、限られたサイクル数の測定の繰り返しによって改良される。第一時間持続期間ΔＴ１と第二時間持続期間ΔＴ２の比較は、動脈の開きが最高圧力が起こるポイント時間を伴う所定の耐性時間間隔内で一致するポイント時間まで繰り返される。この瞬間における加圧手段４´で決められた圧力は、収縮期血圧Ｓの正確な示唆を与える。プロファイルに対応する圧力放出信号アップリリースを供給して計算するための手段１１である、計算するための手段１１は、圧力が放出されたことにより、圧力時間プロファイルを決定する。この図にて示されているように、加圧手段４による圧力−時間プロファイルの調節は放出され、限られたサイクル数における正確な測定を可能にする。
【００２０】
図３ｂは、限られたサイクル数後の図３ａの測定のグラフを示している。収縮期血圧Ｓの正確な測定は、この限られたサイクル数後に達成される。Ｔｄｅｌａｙ１における計算された次ぎの値に一致した放出されるべき圧力後の遅延時間を調節することによって、若しくはＰ２における計算された次ぎの値と一致した動脈に加圧手段４´により適用された圧力を調節することによって行なわれる。計算に依存する圧力若しくは遅延時間、又は両者を調節することが可能であることは注意すべきである。
【００２１】
図４は、さらなる測定段階での図１のシステムを伴った心拡張期血圧の測定のグラフを示す。基準点時間ｂからエンドポイント時間ｆまでの心拍持続期間ΔＴｈｒは、被験者の少なくとも二つの心拍のタイミングから決定される。心拍持続期間ΔＴｈｒ、及び、基準点時間から動脈が開くさらなるポイント時間ｅまでの第三時間持続期間ΔＴ３は比較され、その比較から、基準点時間ｂからの第二遅延時間Ｔｄｅｌａｙ２が計算され、該遅延時間が計算された後、次の圧力放出信号が加圧手段に供給される。計算された第二遅延時間Ｔｄｅｌａｙ２に対応する第二圧力放出信号アップリリース２が加圧手段４´に供給される。加圧手段４´に対する遅延時間は、限られたサイクル数のかかる測定の繰り返しによって改良される。このように、動脈が開くポイント時間が、一つの心拍持続期間が終わりに達するポイント時間と所定の耐性時間間隔内で一致するポイント時間、従って、最低血圧が生じるポイント時間まで心拍持続期間ΔＴｈｒと第三時間持続期間ΔＴ３との比較は繰り返される。この瞬間での加圧手段において決められた圧力は、被験者の心拡張期血圧Ｄの正確な示唆を与える。
【図面の簡単な説明】
【図１】  本発明によるシステムの第一実施態様の機能的なブロック図を示している。
【図２ａ】  図１のシステムからなる装置の遠近図である。
【図２ｂ】  図２ａの装置のセンサを図形的に示している。
【図３ａ】  第一測定サイクルでの図１のシステムを伴う収縮期血圧測定のグラフである。
【図３ｂ】  数サイクル後の図３ａの測定のグラフである。
【図４】  さらなる測定段階における図１のシステムを伴う心拡張期血圧測定のグラフである。
【図１】
0004833492.tif 000002
【図２ａ】
0004833492.tif 000003
【図２ｂ】
0004833492.tif 000004
【図３ａ】
0004833492.tif 000005
【図３ｂ】
0004833492.tif 000006
【図４】
0004833492.tif 000007